(57)【要約】【課題】製作コストが安く、使い勝手の良い出隅用幅木を提供する。【解決手段】幅木本体３ａの両端面に第１部材４を取着し、第１孔８と第２孔９と第３孔１０とを設けた第２部材５を第１部材４に対し上下に重なり合うよう配置し、ロックピン１３の垂直支軸１３ａを第２部材５の第１孔８と第１部材４の長孔７とに挿入すると共に、ロックピン１３の係止軸１３ｂを第２部材５の第２孔９又は第３孔１０と第１部材４の長孔７とに挿入した状態に付勢するバネ１４を設け、第２部材５には桁面用幅木２を掴持するクランプ６を取着し、クランプ６は、ロックピン１３の係止軸１３ｂを第２部材５の第２孔９と第１部材４の長孔７とに挿入することにより幅木本体３ａが桁面用幅木２と直交位置で掴持可能となり、バネ１４に抗して係止軸１３ｂを引き抜いて第２部材５の第３孔１０と第１部材４の長孔７とに挿し替えることにより幅木本体３ａが桁面用幅木２と平行位置で掴持可能となる。【選択図】図７
2010133160.tif 000002
【特許請求の範囲】
【請求項１】
枠組足場の足場板が直交するコーナー部の出隅側に面する足場板の妻側端部を塞ぐように桁面用幅木を利用して取り付けられる出隅用幅木であって、幅木本体の長手方向両端面の夫々に取付金具を備え、各取付金具は、幅木長手方向に長い長孔を上下方向に穿設した第１部材を取着し、この第１部材に対し、第１孔、第２孔及び第３孔を夫々上下方向に穿設した第２部材を上下に重なり合うように配置し、垂直支軸とこれの上端部からつなぎ軸を介して垂直支軸と平行で下向きに突出する係止軸とからなるロックピンの垂直支軸を第２部材の第１孔と第１部材の長孔とに亘って軸芯回りに回転自在に挿入すると共に、係止軸を第２部材の第２孔又は第３孔と第１部材の長孔とに亘って挿入した状態に付勢するバネを設け、第２部材には、足場板に取り付けられた桁面用幅木にその上方より挿脱自在に嵌合して掴持される幅木取付用クランプを取着してなるもので、前記クランプは、ロックピンの係止軸を第２部材の第２孔と第１部材の長孔とに挿入することにより幅木本体が桁面用幅木と直交する位置でその幅木に掴持可能となり、この状態からバネに抗して係止軸を引き抜いて第２部材の第３孔と第１部材の長孔とに挿し替えることにより幅木本体が桁面用幅木と平行位置でその幅木に掴持可能となるようにした出隅用幅木。
【請求項２】
第１部材は、夫々幅木長手方向に長い長孔を有する上下片と両片をつなぐ竪片とでコ字形に形成された第１コ字枠からなり、第２部材は、上下板と両板をつなぐ竪板とでコ字形に形成され且つ上下両板に夫々第１孔、第２孔及び第３孔を穿設した第２コ字枠からなるもので、第２コ字枠は、上下板が第１コ字枠の上下片を挟むように第１コ字枠に取り付けられ、バネは、第１コ字枠の長孔と第２コ字枠の上下板の第１孔とに亘って挿入された垂直支軸と、第２コ字枠の下板との間に介装されたコイルバネからなる請求項１に記載の出隅用幅木。
【請求項３】
幅木取付用クランプは、前後側板と上板とからなるコ字状本体と、前板に螺挿された蝶ボルトとからなる請求項１又は２に記載の出隅用幅木。
【発明の詳細な説明】
【技術分野】
【０００１】
本発明は、枠組足場において足場板が直交するコーナー部の出隅側に面する足場板の妻側端部を塞ぐように、桁面用幅木を利用して取り付けられる出隅用の幅木に関する。尚、足場板が直交するコーナー部とは、作業床兼用通路を形成する足場板と、他の作業床兼用通路を形成する足場板とが直角に交差する部分である。
【背景技術】
【０００２】
背景技術について、本発明の実施形態を示す図１の(a) ，(b) を参照して説明すると、図１の(a) ，(b) は枠組足場において２つの足場板１，１が直交するコーナー部を示したもので、(a) は足場板１を２枚並列状態で作業床兼用通路を形成する場合、(b) は１枚の足場板１で作業床兼用通路を形成する場合を示す。このような作業床兼用通路を形成する足場板には、作業に使用するボルト・ナット、各種金具や工具類、足元に置いた資材等を過って落下するのを防止するために、足場板の桁側端部に沿って桁面用幅木が取り付けられる。
【０００３】
そして、上記のように２つの足場板１，１が直交するコーナー部の出隅側に面する妻側端部には当該妻側端部を塞ぐように妻面用幅木が取り付けられる。妻面用幅木の一端部には第１取付金具が取り付けられ、他端部には第１取付金具に対し水平回りに９０°回転した状態の第２取付金具が取り付けられる。妻面用幅木の取り付けにあたり、妻面用幅木の一端部は、この妻面用幅木と直交する一方の足場板の桁面用幅木に第１取付金具によって取り付け、妻面用幅木の他端部は、妻面用幅木と平行な桁面用幅木に第２取付金具によって取り付けている。また、コーナー部の位置が図１とは左右が逆となる図２に示すような場合には、この妻面用幅木を１８０度反転した状態で使用するようにしている。
【発明の開示】
【発明が解決しようとする課題】
【０００４】
上記のように従来では、妻面用幅木の両端部に設けられた取付金具が異なった取付構造であるため、製作コストが高くつく上に、使い勝手もが悪かった。
【０００５】
本発明は、上記の事情に鑑み、幅木の両端部に取り付ける取付金具を同じ取付構造にして、幅木両端部に対称状に取り付けることによって、製作コストを安くでき、使い勝手も良くなるようにした出隅用幅木を提供することを目的としている。
【課題を解決するための手段】
【０００６】
上記課題を解決するための手段を、後述する実施形態の参照符号を付して説明すると、請求項１に係る発明の出隅用幅木は、枠組足場Ａの足場板１が直交するコーナー部の出隅側に面する足場板１の妻側端部を塞ぐように桁面用幅木２を利用して取り付けられる出隅用幅木３であって、幅木本体３ａの長手方向両端面の夫々取付金具３ｂを備え、各取付金具３ｂは、幅木長手方向に長い長孔７を上下方向に穿設した第１部材４を取着し、この第１部材４に対し、第１孔８、第２孔９及び第３孔１０を夫々上下方向に穿設した第２部材５を上下に重なり合うように配置し、垂直支軸１３ａとこれの上端部からつなぎ軸１３ｃを介して垂直支軸１３ａと平行で下向きに突出する係止軸１３ｂとからなるロックピン１３の垂直支軸１３ａを第２部材５の第１孔８と第１部材４の長孔７とに亘って軸芯回りに回転自在に挿入すると共に、係止軸１３ｂを第２部材５の第２孔９又は第３孔１０と第１部材４の長孔７とに亘って挿入した状態に付勢するバネ１４を設け、第２部材５には、足場板１に取り付けられた桁面用幅木２にその上方より挿脱自在に嵌合して掴持される幅木取付用クランプ６を取着し、このクランプ６は、ロックピン１３の係止軸１３ｂを第２部材５の第２孔９と第１部材４の長孔７とに挿入することにより幅木本体３ａが桁面用幅木２と直交する位置でその幅木２に掴持可能となり、この状態からバネ１４に抗して係止軸１３ｂを引き抜いて第２部材５の第３孔１０と第１部材４の長孔７とに挿し替えることにより幅木本体３ａが桁面用幅木２と平行位置でその幅木２に掴持可能となるようにしたことを特徴とする。
【０００７】
請求項２は、請求項１に記載の出隅用幅木において、第１部材４は、夫々幅木長手方向に長い長孔７を有する上下片４ａ，４ａと両片４ａ，４ａをつなぐ竪片４ｂとでコ字形に形成された第１コ字枠からなり、第２部材５は、上下板５ａ，５ａと両板５ａ，５ａをつなぐ竪板５ｂとでコ字形に形成され且つ上下両板５ａ，５ａに夫々第１孔８、第２孔９及び第３孔１０を穿設した第２コ字枠からなるもので、第２コ字枠５は、上下板５ａ，５ａが第１コ字枠４の上下片４ａ，４ａを挟むように第１コ字枠４に取り付けられ、バネ１４は、第１コ字枠４の長孔７と第２コ字枠５の上下板５ａ，５ａの第１孔８とに亘って挿入された垂直支軸１３ａと、第２コ字枠５の下板５ａとの間に介装されたコイルバネからなることを特徴とする。
【０００８】
請求項３は、請求項１又は２に記載の出隅用幅木において、幅木取付用クランプ６は、前側板１１ａと後側板１１ｂと上板１１ｃとからなるコ字状本体１１と、コ字状本体１１内に嵌め込んだ桁面用幅木２の幅木本体２ａを後側板１１ｂに押し付けて固定するように前側板１１ａに螺挿された蝶ボルト１２とによって構成されることを特徴とする。
ことを特徴とする。
【発明の効果】
【０００９】
上記解決手段による発明の効果を、後述する実施形態の参照符号を付して説明すると、請求項１に係る発明の出隅用幅木３によれば、幅木本体３ａの両端に夫々取り付けられる取付金具３ｂは同じ構造のもので、各取付金具３ｂのロックピン１３の係止軸１３ｂを、第２部材５の第２孔９と第１部材４の長孔７とに挿入している時は、幅木取付用クランプ６は、幅木本体３ａが桁面用幅木２と直交する位置でその幅木本体２ａに掴持可能な状態となり、この状態からバネ１４に抗して係止軸１３ｂを引き抜き、この係止軸１３ｂを、第２部材５の第３孔１０と第１部材４の長孔７とに挿し替えるようにすることによって、クランプ６は幅木本体３ａが桁面用幅木２と平行位置でその幅木２に掴持可能な状態となり、従って出隅用幅木３と直交方向に設置されている桁面用幅木２、及び出隅用幅木３と平行に設置されている桁面用幅木２の何れにも取り付け可能であるから、幅木本体３ａの両端の取付金具３ｂ，３ｂを同じ取付構造にすることができ、出隅用幅木３の製作コストを安くできると共に、使い勝手も良くなる。
【００１０】
請求項２に係る発明の出隅用幅木３によれば、第１部材４として、夫々幅木長手方向に長い長孔７を有する上下片４ａ，４ａと竪片４ｂとからなるコ字形の第１コ字枠４を使用し、また第２部材５として、上下板５ａ，５ａと竪板５ｂとでコ字形に形成され、上下両板５ａ，５ａに夫々第１孔８、第２孔９及び第３孔１０を穿設した第２コ字枠５を使用し、第２コ字枠５を、上下板５ａ，５ａが第１コ字枠４の上下片４ａ，４ａを挟むように第１コ字枠４に取り付けるようにした場合には、第１部材４及び第２部材５を夫々、鋼板材のプレス加工によって形成できるから、製作が容易になると共に、出隅用幅木３の軽量化を図ることができる。
【００１１】
請求項３に係る発明の出隅用幅木３によれば、幅木取付用クランプ６を、前側板１１ａと後側板１１ｂと上板１１ｃとからなるコ字状本体１１と、コ字状本体１１内に嵌め込んだ桁面用幅木２の幅木本体２ａを後側板１１ｂに押し付けて固定するように前側板１１ａに螺挿された蝶ボルト１２とで構成した場合は、クランプ６の構造が簡単で製作が容易になり、また蝶ボルト１２の採用によって、ボルトの回転操作が容易となる。
【発明を実施するための最良の形態】
【００１２】
以下に本発明の好適な一実施形態を図面に基づいて説明すると、図１は枠組足場Ａにおいて２つの足場板１，１が互いに直交するコーナー部を示す平面図で、(a) は２枚の足場板１を並列状態にしてコーナー部を形成する場合、(b) は足場板１が１枚ずつでコーナー部を形成する場合を示し、図２は図１とは左右の位置関係が逆になったコーナー部を示す平面図で、(a) は２枚の足場板１を並列状態にしてコーナー部を形成する場合、(b) は足場板１が１枚ずつでコーナー部を形成する場合を示す。
【００１３】
図１及び図２に示す枠組足場Ａにおいて、各足場板１には桁面用幅木２が取り付けられている。この桁面用幅木２は、図８の(a) に概略示すように、足場板１の側縁部に沿って取り付けられるもので、例えば(b) に示すように、幅木本体２ａの外面側中央部にセット金具２ｂを、また幅木本体２ａの両端側に直立用金具２ｃを備えていて、これらのセット金具２ｂと直立用金具２ｃにより、(c) に示すように足場板１の側縁部に直立姿勢に取り付けられるようになっている。
【００１４】
図１及び図２において、３は本発明に係る出隅用幅木であって、この出隅用幅木３は、２つの足場板１，１が直交するコーナー部の出隅側に面する足場板の妻側端部を塞ぐように、足場板１の側縁部に予め取り付けられた桁面用幅木２を利用して取り付けられるようになっている。
【００１５】
出隅用幅木３は、図３の(a) ，(b) に示すように、幅木本体３ａと、この幅木本体３ａの長手方向両端に設けられた取付金具３ｂ，３ｂとからなり、両取付金具３ｂ，３ｂは、同じ構造のものである。各取付金具３ｂの構造について、以下に詳細に説明する。
【００１６】
先ず、図４の(a) ，(b) に示すように、幅木本体３ａの各端面上部に、上下片４ａ，４ａと両片４ａ，４ａをつなぐ竪片４ｂとによってコ字形に形成された第１コ字枠（第１部材）４の竪片４ｂを例えば溶接によって固着する。この第１コ字枠６の上下片４ａ，４ａには夫々、図４の(b) に示すように幅木長手方向に長い長孔７が穿設されている。
【００１７】
そして、第１コ字枠４（第１部材）には、幅木取付用クランプ６を取着した第２コ字枠５（第２部材）を上下に重なり合うように取り付ける。即ち、図４の(c) ，(d) に示すように上下板５ａ，５ａとこれらをつなぐ竪板５ｂとでコ字形に形成されていて、上下両板５ａ，５ａに夫々第１孔８、第２孔９及び第３孔１０を穿設した第２コ字枠５を、その上下板５ａ，５ａが第１コ字枠４の上下片４ａ，４ａを上下両側から挟むように第１コ字枠４に取り付ける。この第２コ字枠５の竪板５ｂには、幅木取付用クランプ６のコ字状本体１１を固着する。
【００１８】
上下両板５ａ，５ａに夫々設けてある第１孔８、第２孔９と第３孔１０の位置関係は、図４の(d) 及び図５の(b-1) に示すように、第１孔８を中心とする円周上に第２孔９と第３孔１０とが位置し、第１孔８と第２孔９とは、幅木本体３ａの長手方向と平行な同一線上に位置し、そして第３孔１０は第２孔９から周方向に９０°隔たった位置にある。
【００１９】
そして、第１コ字枠４とこれを上下両側から挟むように取り付けた第２コ字枠５には、図４の(e) に示すように垂直支軸１３ａとこれの上端部からつなぎ軸１３ｃを介して前記垂直支軸１３ａと平行で下向きに突出する係止軸１３ｂとからなるロックピン１３の垂直支軸１３ａを、第２コ字枠５の第１孔８と第１コ字枠４の上下片４ａ，４ａの長孔７，７とに亘って軸芯回りに回転自在に挿入すると共に、係止軸１３ｂを、第２コ字枠５の第２孔９又は第３孔１０の何れかと、第１コ字枠４の上下片４ａ，４ａの長孔７，７とに亘って挿入し、更にロックピン１３の垂直支軸１３ａと第２コ字枠５の下板５ａとの間には、係止軸１３ｂを第２コ字枠５の第２孔９又は第３孔１０と第１コ字枠４の長孔７，７とに挿通した状態を付勢するコイルバネ１４を介装する。尚、垂直支軸１３ａの下端部にはコイルバネ１４の一端を支持するためのナット１５を螺着する。
【００２０】
上記幅木取付用クランプ６は、図４の(c) ，(d) に示すように、前側板１１ａと後側板１１ｂと両側板１１ａ，１１ｂをつなぐ上板１１ｃとからなるコ字状本体１１と、図４の(c) の仮想線図示のようにコ字状本体１１内に嵌め込まれた桁面用幅木２の幅木本体２ａを後側板１１ｂに押し付けて締め付け固定するように前側板１１ａに螺挿された蝶ボルト１２とによって構成される。尚、コ字状本体１１の前側板１１ａにはボルト挿通孔（図示せず）が設けてあって、この孔のナット１６が固着され、このナット１６に蝶ボルト１２が螺合されている。
【００２１】
以上、出隅用幅木３の取付金具３ｂの構造について説明したが、図３の(a) ，(b) に示すように、幅木本体３ａの両端面に取り付けられる両取付金具３ｂ，３ｂは同じ構造で、同図に示すように幅木本体３ａの両端側に対称位置に配置されている。
【００２２】
次に、上記出隅用幅木３の取付金具３ｂの作用について、図５〜図７を参照して以下に詳しく説明する。
【００２３】
図５の(a-1) は取付金具３ｂの通常姿勢を示す正面図、(b-1) は平面図である。即ち、ロックピン１３の垂直支軸１３ａは、常時、第２コ字枠５の第１孔８と第１コ字枠４の上下片４ａ，４ａの長孔７，７とに亘り軸芯回りに回動自在に挿入されているが、このロックピン１３の係止軸１３ｂを第２コ字枠５の第２孔９と第１コ字枠４の上下片４ａ，４ａの長孔７，７とに亘って挿入することにより、第２コ字枠５に取付け固定された幅木取付用クランプ６は、図５の(a-1) ，(b-1) 及び図７の(a-1) ，(a-2) ，(a-3) に示すように、幅木本体３ａが桁面用幅木２と直交する位置でその桁面用幅木２の幅木本体２ａに掴持可能となる。
【００２４】
そして、図５の(a-2) ，(b-2) に示すように、コイルバネ１４の付勢力に抗してロックピン１３を持ち上げ、係止軸１３ｂを第２コ字枠５の第２孔９及び第１コ字枠４の長孔７から引き抜いて、その状態のまま図５の(a-3) ，(b-3) に示すように第２コ字枠５をロックピン１３の垂直支軸１３ａを中心に反時計回りに９０°回転させ、その後図６の(a-1) ，(b-1) に示すように垂直支軸１３ａを第１コ字枠４の長孔７に沿って一端部から他端部へスライドさせ、この状態で図６の(a-2) ，(b-2) に示すようにロックピン１３を反時計回りに１８０°回転させて、係止軸１３ｂを第２コ字枠５の第３孔１０と第１コ字枠４の長孔７とに挿し込むことによって、幅木取付用クランプ６は、図６の(a-3) ，(b-3) 及び図７の(b-1) ，(b-2) ，(b-3) に示すように、幅木本体３ａが桁面用幅木２と平行する位置でその桁面用幅木２の幅木本体２ａに掴持可能となる。
【００２５】
上記のように幅木本体３ａの両端面に夫々取り付けてある取付金具３ｂは、ロックピン１３の係止軸１３ｂを第２部材５の第２孔９と第１部材４の長孔７とに挿入した時には、幅木取付用クランプ６は、図７の(a-1) ，(a-2) ，(a-3) に示すように、幅木本体３ａが桁面用幅木２と直交する位置でその幅木本体２ａに掴持可能な状態となり、またこの状態からバネ１４に抗して係止軸１３ｂを引き抜いて、第２コ字枠５を、幅木取付用クランプ６と共に、垂直支軸１３ａを中心に９０°回転させ、その係止軸１３ｂを第２部材５の第３孔１０と第１部材４の長孔７とに挿し替えるようにすることによって、クランプ６は、図７の(b-1) ，(b-2) ，(b-3) に示すように、幅木本体３ａが桁面用幅木２と平行位置でその幅木２に掴持可能な状態となる。
【００２６】
従って、図１の(a) ，(b) に示すような枠組足場Ａにおいて足場板１，１が直交するコーナー部の出隅側に面する足場板１の妻側端部を塞ぐように出隅用幅木３を取り付ける場合、この図１の(a) ，(b) に示される出隅用幅木３は、右側端部にある取付金具３ｂを、出隅用幅木３の幅木本体３ａと直交するように足場板１に設置されている桁面用幅木２に取り付けるから、この右側の取付金具３ｂは、図５の(a-1) ，(b-1) 及び図７の(a-1) ，(a-2) ，(a-3) に示すように、ロックピン１３の係止軸１３ｂを第２部材５の第２孔９と第１部材４の長孔７とに挿入した状態とすれば、幅木取付用クランプ６は同図の(a-1) のように桁面用幅木２の幅木本体２ａを掴持することができる。
【００２７】
そして、左側の取付金具３ｂは、出隅用幅木３の幅木本体３ａと平行して足場板１に設置されている桁面用幅木２に取り付けるから、この左側の取付金具３ｂは、図５の(a-1) ，(b-1) に示す状態からバネ１４に抗しロックピン１３の引き上げて係止軸１３ｂを引き抜いて第２コ字枠５を９０°回転させ、垂直支軸１３ａを第１コ字枠４の長孔７に沿ってスライドさせ、更にロックピン１３を１８０°回転させることにより、係止軸１３ｂを、第２部材５の第３孔１０と第１部材４の長孔７とに挿し替えれるようにすれば、幅木取付用クランプ６は、図６の(a-3) ，(b-3) 及び図７の(b-1) ，(b-2) ，(b-3) に示すように幅木本体３ａが桁面用幅木２と平行する位置でその桁面用幅木２の幅木本体２ａに掴持することができる。
【００２８】
また、図２は、図１とは左右の位置関係が逆になったコーナー部の出隅側に面する足場板１の妻側端部を塞ぐように出隅用幅木３を取り付ける場合であるが、この場合も、上記のような操作によって、各取付金具３ｂの幅木取付用クランプ６を、出隅用幅木３と直交するように設置されている桁面用幅木２に対し、また出隅用幅木３と平行に設置されている桁面用幅木２に対して掴持させることができる。尚、図１の(a) ，(b) 及び図２の(a) ，(b) において、１７及び１８は、一方の足場板１の妻側端部と他方の足場板１の桁側端部との間の隙間を塞ぐように前記一方の足場板１が掛け渡される足場用建枠の横材に取り付けられるコーナーステップを示す。
【００２９】
上記のように幅木本体３ａの両端に取り付けてある取付金具３ｂは、同じ取付構造であって、出隅用幅木３と直交方向に設置されている桁面用幅木２、及び出隅用幅木３と平行に設置されている桁面用幅木２の何れにも適用できるため、出隅用幅木３の製作コストを安くできると共に、使い勝手も良くなる。
【００３０】
以上説明した実施形態の出隅用幅木３では、第１部材として、夫々幅木長手方向に長い長孔７を有する上下片４ａ，４ａと竪片４ｂとからなるコ字形の第１コ字枠４を使用し、また第２部材として、上下板５ａ，５ａと竪板５ｂとでコ字形に形成され、上下両板５ａ，５ａに夫々第１孔８、第２孔９及び第３孔１０を穿設した第２コ字枠５を使用し、第２コ字枠５は、上下板５ａ，５ａが第１コ字枠４の上下片４ａ，４ａを挟むように第１コ字枠４に取り付け、そしてコイルバネ１４を、第１コ字枠４の長孔７と第２コ字枠５の上下板５ａ，５ａの第１孔８とに亘って挿入された垂直支軸１３ａと、第２コ字枠５の下板５ａとの間に介装しているが、第１部材及び第２部材として、夫々扁平板状部材を使用し、第１部材４に長孔７を設け、第２部材５には第１孔８、第２孔９及び第３孔１０を設け、第１部材４の上に第２部材５を重ね合わせた状態に配置し、ロックピン１３の垂直支軸１３ａを第２部材５の第１孔８と第１部材４の長孔７とに挿入すると共に、係止軸１３ｂを第２部材５の第２孔９又は第３孔１０と第１部材４の長孔７とに亘って挿入した状態に付勢するバネ１４を、第１部材４とロックピン１３との間に介装するようにしてもよい。この場合、第１部材４及び第２部材５には夫々比較的厚めの扁平板状部材を使用する必要がある。
【００３１】
但し、この実施形態のように、第１部材４として、夫々幅木長手方向に長い長孔７を有する上下片４ａ，４ａと竪片４ｂとからなるコ字形の第１コ字枠４を使用し、また第２部材５として、上下板５ａ，５ａと竪板５ｂとでコ字形に形成され、上下両板５ａ，５ａに夫々第１孔８、第２孔９及び第３孔１０を穿設した第２コ字枠５を使用し、第２コ字枠５を、上下板５ａ，５ａが第１コ字枠４の上下片４ａ，４ａを挟むように第１コ字枠４に取り付けるようにした場合には、第１部材４及び第２部材５を夫々、鋼板材のプレス加工によって形成できるから、製作が容易になると共に、出隅用幅木３の軽量化を図ることができる。
【００３２】
また実施形態に示すように、幅木取付用クランプ６を、前側板１１ａと後側板１１ｂと上板１１ｃとからなるコ字状本体１１と、コ字状本体１１内に嵌め込んだ桁面用幅木２の幅木本体２ａを後側板１１ｂに押し付けて固定するように前側板１１ａに螺挿された蝶ボルト１２とで構成した場合は、クランプ６の構造が簡単で製作が容易になり、また蝶ボルト１２の採用によって、ボルトの回転操作が容易となる。
【図面の簡単な説明】
【００３３】
【図１】枠組足場において足場板が互いに直交するコーナー部を示す平面図で、(a) は２枚の足場板を並列状態にしてコーナー部を形成する場合、(b) は足場板が１枚ずつでコーナー部を形成する場合を示す。
【図２】図１とは左右の位置関係が逆になったコーナー部を示す平面図で、(a) は２枚の足場板を並列状態にしてコーナー部を形成する場合、(b) は足場板が１枚ずつでコーナー部を形成する場合を示す。
【図３】本発明に係る出隅用幅木を示す正面図、(b) は平面図である。
【図４】(a) は出隅用幅木の幅木本体の端面に第１コ字枠を取り付けた状態の正面図、(b) はその平面図、(c) は第２コ字枠とこれに取り付けた幅木取付用クランプを示す正面図、(d) はその平面図、(e) はロックピン、ナット及びコイルバネを示す正面図である。
【図５】取付金具の作用を説明する説明図であり、(a-1) 〜(a-3) は正面図、(b-1) 〜は平面図である。
【図６】図５に引き続き取付金具の作用を説明する説明図であり、(a-1) 〜(a-3) は正面図、(b-1) 〜(b-3) は平面図である。
【図７】(a-1) は出隅用幅木が桁面用幅木と直交する場合の取付金具の取付状態を示す正面図、(a-2) は平面図、(a-3) は左側面図であり、(b-1) は出隅用幅木が桁面用幅木と平行する場合の取付金具の取付状態を示す正面図、(b-2) は平面図、(b-3) は左側面図である。
【図８】(a) は枠組足場の足場板に桁面用幅木が取り付けられている状態の斜視図、(b) は足場板に桁面用幅木を取り付けようとしている状態の斜視図、(c) は桁面用幅木を取り付けた状態の斜視図である。
【符号の説明】
【００３４】
１            足場板
２            桁面用幅木
２ａ          桁面用幅木の幅木本体
３            出隅用幅木
３ａ          出隅用幅木の幅木本体
４            第１コ字枠（第１部材）
５            第２コ字枠（第２部材）
６            幅木取付用クランプ
７            長孔
８            第１孔
９            第２孔
１０          第３孔
１３          ロックピン
１３ａ        垂直支軸
１３ｂ        係止軸
１３ｃ        つなぎ軸
【図１】
2010133160.tif 000003
【図２】
2010133160.tif 000004
【図３】
2010133160.tif 000005
【図４】
2010133160.tif 000006
【図５】
2010133160.tif 000007
【図６】
2010133160.tif 000008
【図７】
2010133160.tif 000009
【図８】
2010133160.tif 000010